(57)【特許請求の範囲】
【請求項１】
デジタル印刷システムにおいて、ベクタ形式のデータファイルをラスタ形式のデータファイルに変換するＲＩＰ処理を行うＲＩＰ装置であって、
前記ＲＩＰ装置は、ラスタ形式のデータファイルを利用するプリンタ装置毎に、当該プリンタ装置のそれぞれが対応している解像度の範囲が記述された装置条件を記憶しており、
前記ＲＩＰ装置は、ＲＩＰ処理を行う前に、ＲＩＰ処理の対象となるベクタ形式のデータファイルを解析し、出力物の品質が劣化することのない最小の解像度を求めた後、
指定されたプリンタ装置の装置条件を参照し、当該プリンタ装置が対応している解像度から前記ベクタ形式のデータファイルを解析して求めた解像度以上で、該解像度に最も近い解像度を当該プリンタ装置の解像度として選択する解像度選択手段を備えたことを特徴とするＲＩＰ装置。
【発明の詳細な説明】
【技術分野】
【０００１】
本発明は，ベクタ形式のデータファイルをラスタ形式のデータファイルに変換する処理を行うＲＩＰ装置（Raster Image Processor）に係わる。
【背景技術】
【０００２】
デジタル化の到来を受け，印刷会社に入稿される原稿もデジタルデータで与えられることが増え，印刷会社は，デジタルデータを用いて印刷または刷版を行うデジタル印刷システムを導入するケースが増えている。
【０００３】
特許文献１に記載されているように，デジタル印刷システムには，ＤＴＰ（DTP: Desktop publishing）、ＲＩＰ装置（RIP: Raster Image Processor）及びデジタル印刷機が含まれ，ＤＴＰからはベクタ形式（例えば，Postscript形式）のデータファイルが出力され，ＤＴＰから出力されたベクタ形式のデータファイルは，ＲＩＰ装置によりラスタ形式（例えば，ビットマップ形式）のデータファイルに変換され，ラスタ形式のデータファイルが用いられデジタル印刷機にて印刷が行われる。
【０００４】
ＲＩＰ装置にて，ベクタ形式のデータファイルをラスタ形式のデータファイルに変換する際，ＲＩＰ処理で利用する解像度をＲＩＰ装置に指定しなければならないが，この解像度が高すぎると、ラスタ形式のデータファイルのサイズが大きくなるし，また，ＲＩＰ処理に多くの処理時間を要するために，ＲＩＰ処理を効率良く行うことができない。
【０００５】
ラスタ形式のデータファイルのサイズを小さくし，また，ＲＩＰ処理の処理時間を短くするためには，ＲＩＰ処理で利用する解像度を小さくすればよいが，この解像度が小さすぎると、ラスタ形式のデータファイルを用いて印刷した際，文字や罫線などが潰れるなど，出力物の品質が低下してしまう。
【０００６】
よって，ＲＩＰ装置にて，ベクタ形式のデータファイルをラスタ形式のデータファイル
に変換するＲＩＰ処理を効率良く行うためには，ラスタ形式のデータファイルを利用する
プリンタ出力装置が対応している解像度の中から，出力物の品質が低下することのない最小の解像度をＲＩＰ処理で用いることが望ましい。
【先行技術文献】
【特許文献】
【０００７】
【特許文献１】特開平１１−２４９８４１号公報
【発明の概要】
【発明が解決しようとする課題】
【０００８】
そこで，本発明は，ベクタ形式のデータファイルをラスタ形式のデータファイルに変換するＲＩＰ処理を行う際に，ラスタ形式のデータファイルを利用する出力装置（例えば，プリンタ）が対応している解像度の中から，出力物の品質が低下することない最小の解像度を自動的に選択することができるＲＩＰ装置を提供することを目的とする。
【課題を解決するための手段】
【０００９】
上述した課題を解決する本発明は，デジタル印刷システムにおいて、ベクタ形式のデータファイルをラスタ形式のデータファイルに変換するＲＩＰ処理を行うＲＩＰ装置であって，ラスタ形式のデータファイルを利用するプリンタ装置毎に、当該プリンタ装置のそれぞれが対応している解像度の範囲が記述された装置条件を記憶しており、
前記ＲＩＰ装置は、ＲＩＰ処理を行う前に、ＲＩＰ処理の対象となるベクタ形式のデータファイルを解析し、出力物の品質が劣化することのない最小の解像度を求めた後、
指定されたプリンタ装置の装置条件を参照し、当該プリンタ装置が対応している解像度から、前記ベクタ形式のデータファイルを解析して求めた解像度以上で、該解像度に最も近い解像度を当該プリンタ装置の解像度として選択する解像度選択手段を備えている。
【発明の効果】
【００１１】
このように，本発明によれば，ベクタ形式のデータファイルをラスタ形式のデータファ
イルに変換するＲＩＰ処理を行う際に，ラスタ形式のデータファイルを利用するプリンタ出力装置が対応している解像度の中から，出力物の品質が低下することのない最小の解像度を自動的に選択することができるＲＩＰ装置を提供できる。
【図面の簡単な説明】
【００１２】
【図１】本実施形態に係るＲＩＰ装置のブロック図。
【図２】ＲＩＰ装置の解像度選択手段の動作を示したフロー図。
【発明を実施するための形態】
【００１３】
ここから，本願発明の実施形態について，本願発明の技術分野に係わる当業者が，本願発明の内容を理解し，本願発明を実施できる程度に説明する。
【００１４】
本実施形態に係るＲＩＰ装置（RIP: Raster Image Processor）は，ＤＴＰから出力さ
れたベクタ形式（例えば，Postscript形式）のデータファイルをラスタ形式（例えば，ビ
ットマップ形式）に変換するＲＩＰ処理を効率良く行うために，ラスタ形式のデータファ
イルを利用するプリンタ出力装置が対応している解像度の中から，出力物の品質が低下することのない最小の解像度を自動的に選択し，選択した解像度を用いてＲＩＰ処理する機能を備えた装置である。
【００１５】
図１は，本実施形態に係るＲＩＰ装置１のブロック図で，図１に図示したように，本実
施形態に係るＲＩＰ装置１は，ＲＩＰ処理を行うＲＩＰ手段１０に加え，ラスタ形式のデ
ータファイルを出力する出力装置に合わせて，出力物の品質が劣化することのない最小の解像度を自動的に選択する解像度選択手段１１を備え，これらの手段は，ＲＩＰ装置１として利用するコンピュータを動作させるコンピュータプログラムで実現されている。
【００１６】
図２は，ＲＩＰ装置１の解像度選択手段１１の動作を示したフロー図である。本実施形
態に係るＲＩＰ装置１に備えられる解像度選択手段１１は，出力物の品質が劣化することのない最小の解像度を自動的に選択する際，まず，ＲＩＰ処理の対象となるベクタ形式のデータファイルを解析することで，ＲＩＰ処理の対象となるベクタ形式のデータファイルから，出力物の品質が劣化することのない最小の解像度を求める処理を実行する(Ｓ１)。
【００１７】
例えば，ＲＩＰ装置１の解像度選択手段１１は，ＲＩＰ処理の対象となるベクタ形式のデータファイルを解析することで，ベクタ形式のデータファイルに含まれる文字や罫線の線幅を求め，ベクタ形式のデータファイルに含まれる用紙サイズから，出力物の品質が劣化することのない最小の解像度として，文字や罫線が潰れない解像度を求める。
【００１８】
ＲＩＰ装置１の解像度選択手段１１は，ベクタ形式のデータファイルから解像度を求め
ると，ラスタ形式のデータファイルを出力する出力装置が対応している解像度の中から，
ベクタ形式のデータファイルから求めた解像度以上で，該解像度に最も近い解像度を出力
装置の解像度として選択する処理を実行し（Ｓ２），この手順を終了する。
【００１９】
本実施形態において，ＲＩＰ装置１の解像度選択手段１１は，ラスタ形式のデータファイルを出力する出力装置毎に，出力装置が対応している解像度を示した装置条件を記憶し，ＲＩＰ処理を行う際にＲＩＰ装置１に指定された出力装置に対応した装置条件を用い，該装置条件に記述されている解像度の範囲の中から，ベクタ形式のデータファイルから求めた最小の解像度以上で，該最小の解像度に最も近い解像度を出力装置の解像度として選択する処理を実行する。
【００２０】
なお，装置条件には，出力装置が対応している解像度以外の情報を含ませ，該情報をも考慮して出力装置の解像度として選択する処理を行うようにしてもよい。例えば，出力装置がプリンタの場合は，印刷したときのインクの滲み量を装置条件に記載しておき，ＲＩＰ装置１の解像度選択手段１１は，ベクタ形式のデータファイルから求めた解像度にインクの滲み量に該当する解像度を加えた値を用いて，出力装置の解像度を選択する処理を実行する。
【００２１】
このようにして，出力物の品質が低下することのない最小の解像度をＲＩＰ装置１の解像度選択手段１１が自動的に選択すると，ＲＩＰ装置１のＲＩＰ手段１０が作動し，ＲＩＰ処理の対象となるベクタ形式のデータファイルをラスタ形式のデータファイルに変換する処理を実行する。
【００２２】
例えば，ＲＩＰ処理の対象となるベクタ形式のデータファイルがPostscript形式のデータファイルの場合，Postscript形式のデータファイルを解釈するインタプリット，インタプリット後のデータファイルを細かい線分に変換するレンダリング，レンダリング後のデータファイルをビットマップ形式のデータファイルに変換するラスタライズが実行され，ベクタ形式（ここでは，Postscript形式）のデータファイルが，ラスタ形式（ここでは，ビットマップ形式）のデータファイルに変換される。
【符号の説明】
【００２３】
１    ＲＩＰ装置
１０  ＲＩＰ手段
１１  解像度選択手段
【図１】
0005668374.tif 000002
【図２】
0005668374.tif 000003